(57)【特許請求の範囲】
【請求項１】
複数の番組の映像・音声情報や番組情報テーブルを含むトランスポートストリームパケットを受信するデジタル放送受信機であって、
前記トランスポートストリームパケットから分離された番組情報テーブルに基づいて番組管理情報を生成する制御手段と、
前記制御手段により生成された番組管理情報をユーザが使用する外部端末へ送信する通信手段と、
前記トランスポートストリームパケットを受信するチューナユニットを有するメインボードの電源を投入する電源管理手段とを備え、
前記制御手段が、前記外部端末からの予約要求を受信すると、前記メインボードがスタンバイ状態か否かを判定する判定手段を有し、
前記電源管理手段が、前記判定手段の判定結果において前記メインボードがスタンバイ状態であった場合に前記メインボードの電源を投入し、
前記通信手段が、前記外部端末においてユーザの操作に基づいて生成された予約管理情報を受信し、
前記制御手段が、前記通信手段により受信された予約管理情報に基づき番組の予約制御を行うことを特徴とするデジタル放送受信機。
【請求項２】
生成した番組管理情報を記憶する番組管理情報記憶手段を備え、制御手段は、逐次トランスポートストリームパケットから分離された番組情報テーブル基づく最新の番組管理情報を生成して前記番組管理情報記憶手段に記憶させ、前記番組管理情報記憶手段に記憶されている番組管理情報を通信手段を介して送信することを特徴とする請求項１記載のデジタル放送受信機。
【請求項３】
制御手段は、外部端末から予約要求を受けた際に番組管理情報記憶手段に記憶されている番組管理情報を通信手段を介して送信することを特徴とする請求項２記載のデジタル放送受信機。
【請求項４】
通信手段が受信した予約管理情報を記憶させる予約管理情報記憶手段を備え、制御手段は、当該予約管理情報記憶手段に記憶された内容に基づいて予約番組の受信制御を行うことを特徴とする請求項１記載のデジタル放送受信機。
【請求項５】
制御手段は、予約管理情報記憶手段に記憶された予約管理情報の記憶状態及び予約管理情報に基づく受信制御の処理状況を示す予約状態情報を生成し、通信手段を介して外部端末へ送信することを特徴とする請求項４記載のデジタル放送受信機。
【請求項６】
ユーザが使用する外部端末とデジタル放送受信機との通信により前記デジタル放送受信機に番組予約を行う遠隔制御方法であって、
デジタル放送受信機において、
前記外部端末からの予約要求を受信する過程と、
前記予約要求を受信するとチューナユニットを有するメインボードがスタンバイ状態か否かを判定する過程と、
前記判定する過程において、前記メインボードがスタンバイ状態であった場合に前記メインボードの電源を投入する過程と、
受信したトランスポートストリームパケットから番組情報テーブルを分離する過程と、
前記番組情報テーブルを用いて番組管理情報を生成する過程と、
前記外部端末へ前記番組管理情報を送信する過程と、
前記外部端末において、
前記デジタル放送受信機から前記番組管理情報を受信して電子番組表を生成する過程と、
前記電子番組表を表示してユーザに閲覧させ、前記電子番組表の中から選択された予約番組を抽出する過程と、
前記予約番組に基づいて予約管理情報を生成し、前記デジタル放送受信機へ送信する過程と、
前記デジタル放送受信機において、
前記外部端末から前記予約管理情報を受信する過程と、
前記予約管理情報に基づいて予約された番組を受信する過程とを備えた遠隔制御方法。
【発明の詳細な説明】
【０００１】
【発明の属する技術分野】
この発明は、デジタル放送受信機，外部端末及び遠隔制御方法に関するものである。
【０００２】
【従来の技術】
従来のデジタル放送受信機は、放送番組の予約視聴や、予約録画などの機能を備え、有料放送を視聴する場合にはＩＣカード等のメモリに課金情報・契約情報等を蓄積しておき、当該デジタル放送受信機からモデム及び電話回線を介して定期的に放送事業者センタへ課金情報等のアップロードを行っている。
【０００３】
図５は、従来のデジタル放送受信機の構成を示すブロック図である。図示したものは、従来のデジタル放送受信機の一例として、特開平１１−３５５７５３号公報に開示されたデジタル放送受信機の構成を示すものである。図において、１０１はチューナユニット、１０２はパケット分離器、１０３はＭＰＥＧＡＶデコーダ、１０４はＮＴＳＣエンコーダ、１０５は表示装置、１０６は音声ＤＡコンバータ（以下、音声ＤＡＣと記載する）、１０７はスピーカ、１０８は変調器（図中ＵＡＲＴと表記）、１０９はモデム、１１０はコントローラである。１２１は呼び出し信号検出回路、１２２は呼び出し信号作成回路、１２３はバンドパスフィルタ、１２４はデータ復号器、１２５は音声メモリ、１２６は音声メッセージ出力回路、１３１〜１３４は第１スイッチ〜第４スイッチである。１４０はデジタル放送受信機を有する家庭に備えられた電話機、１４１は電話回線の交換機、１４２は課金情報・契約情報等が送られる放送事業者センタ（管理センタ）、１５０は外部電話機である。
【０００４】
次に動作について説明する。
図５に示すデジタル放送受信機は、第１スイッチ１３１〜第３スイッチ１３３が全て接点ａ側に接続され、モデム１０９が上り電話回線Ｌ２から切り離され、電話機１４０が上り電話回線Ｌ２及び下り電話回線Ｌ１と接続されている。また、第４スイッチ１３４は、呼び出し信号作成回路１２２と電話機１４０とを切り離すオフ状態となっている。これら第１スイッチ１３１〜第４スイッチ１３４は、コントローラ１１０によって制御される。チューナユニット１０１は、選局部・ＩＱ検波器・ＱＰＳＫ復調器及び誤り訂正器から成り、希望波を選択してベースバンドに変換した後、復調および誤り訂正処理を行ってトランスポートストリームパケット（以下、ＴＳパケットと記載する）を出力する。このＴＳパケットには、複数の番組の映像・音声情報・番組情報テーブルなどのサービス情報（以下、ＳＩと記載する）が含まれている。パケット分離器１０２は、コントローラ１１０から指定されたＴＳパケットの分離を行い、映像・音声パケットをＭＰＥＧＡＶデコーダ１０３へ出力し、ＳＩパケットを図示されないメモリに記憶する。
【０００５】
ＭＰＥＧＡＶデコーダ１０３は、入力した映像パケットを映像データに復元し、また、入力した音声パケットを音声データに復元する。ＮＴＳＣエンコーダ１０４は、映像データを入力して表示可能なコードに変換し、表示装置１０５に送る。音声ＤＡＣ１０６は、音声データを入力して音声信号に変換し、スピーカ１０７へ出力する。
【０００６】
音声メモリ１２５には、外部電話機１５０を用いた遠隔操作によって番組予約を行う場合の、操作手順を案内する音声メッセージが予め記憶されている。外部電話機１５０のボタンが操作されると、このボタン操作によって入力されたボタン番号がバンドパスフィルタ１２３を介してデータ復号器１２４に入力され、所定のコードに変換される。コントローラ１１０は、データ復号器１２４によって変換されたコードを入力して、当該コードに基づいて番組の予約制御を行う。外部電話機１５０の遠隔操作は、コントローラ１１０の制御により音声メッセージ出力回路１２６から送られてくる所定の音声メッセージに基づいて予約システムの起動、予約日時、予約開始時間、予約チャンネル等の入力を行うものである。
【０００７】
また、コントローラ１１０は、メモリに記憶させたＳＩパケットの内容に基づいた課金情報等を電話回線を介して管理センタに送信し、番組予約処理及び有料番組の購入処理を行う。
【０００８】
【発明が解決しようとする課題】
従来のデジタル放送受信機は、以上のように構成されているので、ユーザは操作内容と外部電話機のボタン番号の対応付けを覚え、外部電話機から出力される音声メッセージに従って外部電話のボタン操作を行う必要がある。また、直感的に操作が行えないことから、効率的に短時間で番組予約に必要な情報を設定することが困難であるという課題があった。
【０００９】
この発明は、上記のような課題を解決するためになされたもので、ユーザが操作内容を詳しく記憶していなくても操作でき、また、効率良く設定操作が行えるデジタル放送受信機，外部端末及び遠隔制御方法を得ることを目的とする。
【００１０】
【課題を解決するための手段】
この発明に係るデジタル放送受信機は、トランスポートストリームパケットから分離された番組情報テーブルに基づいて番組管理情報を生成する制御手段と、制御手段により生成された番組管理情報をユーザが使用する外部端末へ送信する通信手段と、トランスポートストリームパケットを受信するチューナユニットを有するメインボードの電源を投入する電源管理手段とを備え、制御手段が、外部端末からの予約要求を受信するとメインボードがスタンバイ状態か否かを判定する判定手段を有し、電源管理手段が、判定手段の判定結果においてメインボードがスタンバイ状態であった場合にメインボードの電源を投入し、通信手段が、外部端末においてユーザの操作に基づいて生成された予約管理情報を受信し、制御手段が、通信手段により受信された予約管理情報に基づき番組の予約制御を行うものである。
【００１１】
この発明に係るデジタル放送受信機は、生成した番組管理情報を記憶する番組管理情報記憶手段を備え、制御手段が逐次トランスポートストリームパケットから分離された番組情報テーブル基づく最新の番組管理情報を生成して番組管理情報記憶手段に記憶させ、番組管理情報記憶手段に記憶されている番組管理情報を通信手段を介して送信するものである。
【００１２】
この発明に係るデジタル放送受信機は、制御手段が、外部端末から予約要求を受けた際に番組管理情報記憶手段に記憶されている番組管理情報を通信手段を介して送信するものである。
【００１３】
この発明に係るデジタル放送受信機は、通信手段が受信した予約管理情報を記憶させる予約管理情報記憶手段を備え、制御手段が当該予約管理情報記憶手段に記憶された内容に基づいて予約番組の受信制御を行うものである。
【００１４】
この発明に係るデジタル放送受信機は、制御手段が予約管理情報記憶手段に記憶された予約管理情報の記憶状態及び予約管理情報に基づく受信制御の処理状況を示す予約状態情報を生成し、通信手段を介して外部端末へ送信するものである。
【００１７】
この発明に係る遠隔制御方法は、デジタル放送受信機において、外部端末からの予約要求を受信する過程と、予約要求を受信するとチューナユニットを有するメインボードがスタンバイ状態か否かを判定する過程と、判定する過程において、メインボードがスタンバイ状態であった場合にメインボードの電源を投入する過程と、受信したトランスポートストリームパケットから番組情報テーブルを分離する過程と、番組情報テーブルを用いて番組管理情報を生成する過程と、外部端末へ番組管理情報を送信する過程と、外部端末において、デジタル放送受信機から番組管理情報を受信して電子番組表を生成する過程と、電子番組表を表示してユーザに閲覧させ、電子番組表の中から選択された予約番組を抽出する過程と、予約番組に基づいて予約管理情報を生成し、デジタル放送受信機へ送信する過程と、デジタル放送受信機において、外部端末から予約管理情報を受信する過程と、予約管理情報に基づいて予約された番組を受信する過程とを備えたものである。
【００１８】
【発明の実施の形態】
以下、この発明の実施の一形態を説明する。
実施の形態１．
図１は、この発明の実施の形態１によるデジタル放送受信機の構成を示すブロック図である。図において、１はユーザが所望する番組のトランスポートストリームパケット（以下、ＴＳパケットと記載する）を受信するチューナユニット、２はメインボード制御信号１７に基づいてＴＳパケットの分離を行うパケット分離器、３はＴＳパケットから分離された映像パケット及び音声パケットをデコードするＭＰＥＧＡＶデコーダ、４はＭＰＥＧＡＶデコーダ３によってデコードされた映像データを映像信号に変換するＮＴＳＣエンコーダ、５はＭＰＥＧＡＶデコーダ３から出力された映像信号に基づいて映像を表示する表示装置、６はＭＰＥＧＡＶデコーダ３によってデコードされた音声データを音声信号に変換する音声ＤＡコンバータ（以下、音声ＤＡＣと記載する）、７は音声ＤＡＣ６から出力された音声信号に基づいて音声を再生するスピーカである。
【００１９】
８はパラレル形式の信号をシリアル形式のデータに変換する、またはシリアル形式のデータをパラレル形式に変換するＵｎｉｖａｒｓａｌ  Ａｓｙｎｃｈｒｏｎｏｕｓ  Ｒｅｃｅｉｖｅｒ  Ｔｒａｎｓｍｉｔｔｅｒ（以下、ＵＡＲＴと記載する）である。９はモデム（通信手段）、１０はデジタル放送受信機の動作を制御する中央制御装置（以下、ＣＰＵと記載する）（制御手段）、１１は電源管理回路、１２は番組管理情報メモリ（番組管理情報記憶手段）、１３は予約管理情報メモリ（予約管理情報記憶手段）、１４は例えばＰＤＡや携帯電話機やＰＨＳ（登録商標）などの外部端末、１５はメインボード、１６はパケット分離器２によってＴＳパケットから分離された番組情報テーブル、１７はメインボード制御信号、１８は電源電力、１９は電源管理回路制御信号、ＮＴは外部端末１４とデジタル放送受信機のモデム９とを接続する通信回線である。なお、図１に示したデジタル放送受信機は、受信した映像及び音声を録画する部分の構成を省略したもので、ＣＰＵ１０の制御により、予約された番組を録画するように構成してもよい。また、ＣＰＵ１０がデジタル放送受信機の外部に接続された録画装置を制御して、当該デジタル放送受信機に予約された番組の録画を行わせるように構成してもよい。
【００２０】
図２は、実施の形態１によるデジタル放送受信機を遠隔制御する外部端末１４の概略構成を示す説明図である。図において、２０は液晶表示器（表示手段）、２１はチャンネル表示エリア、２２は番組情報表示エリア、２３は番組表示爛、２４はフォーカス移動ボタン（操作手段）、２５は番組選択決定ボタン（操作手段）である。また、この外部端末１４には、デジタル放送受信機のモデム９と通信回線ＮＴを介して各情報通信を行う通信手段（図示省略）と、所定の番組予約メニューを提示して、番組予約を実施するアプリケーションプログラム（遠隔制御プログラム）に基づいて各部分を制御する制御手段（図示省略）が備えられている。また、このアプリケーションプログラムは、一般的な携帯電話機等にインストール可能なもので、アプリケーションプログラムを提供しているサーバ、あるいはデジタル放送受信機から当該外部端末１４に予めダウンロードして、または当初よりアプリケーションプログラムがインストールされている外部端末１４を用意して使用する。なお、このアプリケーションプログラムは、他のデジタル放送受信機の外部端末１４によって遠隔操作されないように、デジタル放送受信機と個別に対応する制御内容を有するものである。
【００２１】
次に動作について説明する。
図１に示すチューナユニット１は選局手段等を備え、希望波を選択して受信した入力信号をベースバンドに変換し、復調および誤り訂正処理を行ってＴＳパケットを抽出する。ＴＳパケットは、番組の映像・音声情報や番組情報テーブル（Ｅｖｅｎｔ  Ｉｎｆｏｒｍａｔｉｏｎ  Ｔａｂｌｅ、略称ＥＩＴ）１６が含まれたサービス情報の各パケットによって構成されている。パケット分離器２は、ＣＰＵ１０によって指定されたＴＳパケットから映像パケットと音声パケットとを分離してＭＰＥＧＡＶデコーダ３へ出力する。ＭＰＥＧＡＶデコーダ３は、パケット分離器２から入力した映像パケットを映像データに復元し、また、同じくパケット分離器２から入力した音声パケットを音声データに復元する。ＮＴＳＣエンコーダ４は、ＭＰＥＧＡＶデコーダ３から映像データを入力し、映像信号に変換して表示装置５へ出力する。音声ＤＡＣ６はＭＰＥＧＡＶデコーダ３から音声データを入力し、音声信号に変換してスピーカ７へ出力する。
【００２２】
ＣＰＵ１０は、パケット分離器２によってＴＳパケットから分離された番組情報テーブル１６を取得し、当該番組情報テーブル１６に基づいて番組管理情報を生成して番組管理情報メモリ１２に記憶する。この番組管理情報メモリ１２に記憶された番組管理情報は、適宜、電子番組表（Ｅｌｅｃｔｒｏｎｉｃ  Ｐｒｏｇｒａｍ  Ｇｕｉｄｅ、略称ＥＰＧ）の生成に使用される。
【００２３】
ユーザが外部端末１４を使用しないとき、デジタル放送受信機のＣＰＵ１０は、電子番組表を生成して表示装置５に表示させ、ユーザに所望の番組を当該電子番組表の中から選択させ、受信開始時刻、受信時間、受信チャンネル等から成る予約管理情報を作成し、予約管理情報メモリ１３に記録させる。そして、予約管理情報メモリ１３に記憶されている受信開始時刻になると番組の受信を開始させる制御を行い、また、番組の受信時間が終了すると受信の終了制御を行う。
【００２４】
また、ＣＰＵ１０は、デジタル放送受信機をスタンバイ状態としているときに、予約管理情報メモリ１３に記憶されている受信開始時間となった場合や、外部端末１４から予約要求が通知された場合には、電源管理回路制御信号１９を電源管理回路１１へ出力し、電源電力１８をメインボード１５へ投入させる。電源電力１８の投入によって起動したメインボード１５は、最新の番組情報テーブル１６を取得する。当該番組情報テーブル１６を入力したＣＰＵ１０は、最新の番組管理情報を生成して適宜番組管理情報メモリ１２に記憶させる。このようにして、番組管理情報メモリ１２に記憶されている番組管理情報が、最新のものに更新される。
【００２５】
図３及び図４は、実施の形態１による遠隔制御方法を示すフローチャートである。図示したフローチャートを用い、ユーザが外部端末１４を操作してデジタル放送受信機に番組の録画予約を行うとき、デジタル放送受信機のＣＰＵ１０が行う制御動作及び外部端末１４が行う動作を説明する。
【００２６】
ＣＰＵ１０は、スタンバイ状態やローカル操作に基づく動作状態において、外部端末１４から送信される予約要求の受信を待つようにデジタル放送受信機を制御する（ステップＳＴ１０１）。
【００２７】
外部端末１４は、ユーザによって番組予約を行うアプリケーションプログラムが起動され、当該アプリケーションプログラムに従って番組予約メニューの操作が行われると、デジタル放送受信機に対して予約要求を送信し（ステップＳＴ２０１）、番組管理情報の受信待ち状態になる（ステップＳＴ２０２）。
【００２８】
デジタル放送受信機のＣＰＵ１０は、受信した要求が番組の予約要求か否かを判定し（ステップＳＴ１０２）、予約要求ではないと判定した場合は、ステップＳＴ１０１の予約要求の受信待ち状態を維持する。また、ステップＳＴ１０２において、受信した要求が番組の予約要求であると判定した場合は、当該デジタル放送受信機がスタンバイ状態か否かを判定する（ステップＳＴ１０３）。デジタル放送受信機がスタンバイ状態であると判定した場合は、電源管理回路１１を制御してメインボード１５に電源電力１８を投入し（ステップＳＴ１０４）、起動したメインボード１５から最新の番組情報テーブル１６を取得する（ステップＳＴ１０５）。この後、ＣＰＵ１０は、取得した番組情報テーブル１６から番組管理情報を生成し、番組管理情報メモリ１２の記憶内容を更新する（ステップＳＴ１０６）。なお、ステップＳＴ１０３において、デジタル放送受信機がスタンバイ状態ではないと判定した場合は、メインボード１５へ電源電力１８を投入する制御（ステップＳＴ１０４）を省略して、最新の番組情報テーブル１６を取得する（ステップＳＴ１０５）。このとき、外部端末１４は、番組管理情報の受信待ち状態を維持している（ステップＳＴ２０２）。
【００２９】
番組管理情報メモリ１２の記憶内容を更新（ステップＳＴ１０６）したＣＰＵ１０は、ＵＡＲＴ８及びモデム９を用いて番組管理情報メモリ１２に記憶されている番組管理情報を外部端末１４へ送信する（ステップＳＴ１０７）。この後、ＣＰＵ１０は、予約管理情報の受信待ち状態となるようにデジタル放送受信機を制御する（ステップＳＴ１０８）。
【００３０】
外部端末１４は、番組管理情報受信待ち状態（ステップＳＴ２０２）において受信した情報が、番組管理情報であるか否かを判定し（ステップＳＴ２０３）、受信した情報が番組管理情報であると判定した場合は、当該番組管理情報に基づいて電子番組表を生成し、図２に示した液晶表示器２０に当該電子番組表を表示する（ステップＳＴ２０４）。このようにして、ユーザに図２に例示したような電子番組表を提示し、表示欄２３の中から予約視聴または予約録画を希望する番組を選択させ、番組の予約操作を行わせる（ステップＳＴ２０５）。
【００３１】
この後、外部端末１４は、ユーザによって選択された番組の予約表を生成し（ステップＳＴ２０６）、適宜、予約表に基づいて予約管理情報を生成してデジタル放送受信機に送信し（ステップＳＴ２０７）、予約状態情報の受信を待つ（ステップＳＴ２０８）。前記予約表は、例えば、外部端末１４に備えられたメモリのワークエリア上に設けられ、ユーザが選択した番組の放送チャンネルや放送開始時刻、放送時間等の情報を電子番組表から抽出して格納するものである。また、予約管理情報は、予約表に格納されている放送開始時刻、放送時間等の予約番組に関する各情報を所定のデータ形態にまとめ、通信回線ＮＴを介してデジタル放送受信機へ送信できるようにしたものである。
【００３２】
また、外部端末１４は、ステップＳＴ２０３において受信した情報が番組管理情報ではないと判定した場合は、再び番組予約メニューをユーザに提示し、再度メニュー操作を受け付ける（ステップＳＴ２０１）。
【００３３】
デジタル放送受信機のＣＰＵ１０は、予約管理情報を受信したか否かを判定し（ステップＳＴ１０９）、予約管理情報を受信するまでステップＳＴ１０８の予約管理情報受信待ち状態を維持する。ステップＳＴ１０９において、予約管理情報を受信したと判定した場合は、当該予約管理情報を予約管理情報メモリ１３に記憶させ、予約管理情報メモリ１３の記憶内容を更新する（ステップＳＴ１１０）。
【００３４】
この後ＣＰＵ１０は、適宜、予約管理情報メモリ１３に記憶されている予約管理情報の状態が正常か否かを示し、また当該予約管理情報に基づく処理状況等を示す予約状態情報を生成し、外部端末１４へ送信する（ステップＳＴ１１１）。このように遠隔制御による番組予約が行われた後、ＣＰＵ１０は通常状態、即ちローカル操作に基づく動作状態、あるいはスタンバイ状態となるようにデジタル放送受信機を制御する（ステップＳＴ１１２）。なお、ステップＳＴ１１１の予約状態情報の生成は、デジタル放送受信機を通常状態等に制御してから適当なタイミングで行うようにしてもよい。
【００３５】
外部端末１４は、予約状態情報受信待ち状態（ステップＳＴ２０８）において受信した情報が、デジタル放送受信機から送信された予約状態情報か否かを判定し（ステップＳＴ２０９）、予約状態情報であると判定した場合は、当該予約状態情報に基づいて予約番組の処理状況等を表示し、デジタル放送受信機の状況をユーザに通知する（ステップＳＴ２１０）。なお、ステップＳＴ２０９において、受信した情報が予約状態情報ではないと判定した場合は、ステップＳＴ２０８の予約状態情報受信待ち状態を維持する。あるいは所定の経過時間後、タイムアウト処理を行ってステップＳＴ２０１の番組予約メニューを表示するようにしてもよい。
【００３６】
このようにして予約番組が設定されたデジタル放送受信機は、予約された開始時刻になると自動的に設定された番組の視聴または録画を開始する。
【００３７】
次に、図２に示した外部端末１４の操作の一例を説明する。外部端末１４は、デジタル放送受信機から番組管理情報を受信すると、当該番組管理情報に基づいて生成した電子番組表を液晶表示器２０に表示する。この電子番組表には、例えばチャンネル番号を表示するチャンネル表示エリア２１、時間や番組名称等の情報を表示する番組情報表示エリア２２が設けられている。図２に示したチャンネル表示エリア２１には、ＡチャンネルとＢチャンネルとＣチャンネルとが表示され、同じく図２に示した番組情報表示エリア２２には、Ｂチャンネルにおいて放送される各番組の名称や時間等が表示欄２３に表示される。液晶表示器２０が十分な解像度を持ち合わせていない場合には、図示したように電子番組表の特定部分が表示され、フォーカス移動ボタン２４を上下左右に操作して、チャンネル表示や時間帯の表示を移動させる。予約番組を決定する場合には、例えば、番組名称が表示された表示欄２３を選択した状態で番組選択決定ボタン２５を押下する。すると、外部端末１４は、選択された番組に関する予約管理情報を生成してデジタル放送受信機に送信する。
【００３８】
なお、外部端末１４は、図２に例示したものに限定されず、同様な作用効果が得られる通信装置であれば、どのような形態の装置でも使用でき、例えば文字情報等の入力、表示及び通信機能を有するＰＤＡ、携帯電話、ＰＨＳなどが利用できる。また、デジタル放送受信機にネットワーク接続機能を有するモデム９を備え、インターネット等の通信回線を介したパソコン等の端末操作によって、デジタル放送受信機の遠隔制御を行うようにしてもよい。
【００３９】
以上のように、この実施の形態１によれば、受信したＴＳパケットから番組情報テーブルを分離するパケット分離器２と、外部との通信を行うモデム９及びＵＡＲＴ８を備え、番組情報テーブルに基づいて生成した番組管理情報を、通信回線ＮＴを介して外部端末１４に送信し、外部端末１４において生成させた電子番組表に基づいてユーザに番組予約を行わせるようにしたので、ユーザは電子番組表を閲覧しながら視聴または録画を希望する番組を選択することができ、遠隔制御によるデジタル放送受信機の予約操作が容易になるという効果がある。
【００４０】
【発明の効果】
以上のように、この発明によれば、トランスポートストリームパケットから分離された番組情報テーブルに基づいて番組管理情報を生成する制御手段と、制御手段により生成された番組管理情報をユーザが使用する外部端末へ送信する通信手段とを備え、通信手段が、外部端末においてユーザの操作に基づいて生成された予約管理情報を受信し、制御手段が、通信手段により受信された予約管理情報に基づき番組の予約制御を行うようにしたので、遠隔制御によるデジタル放送受信機の番組予約操作が容易になるという効果がある。
【００４１】
この発明によれば、生成した番組管理情報を記憶する番組管理情報記憶手段を備え、制御手段が逐次トランスポートストリームパケットから分離された番組情報テーブル基づく最新の番組管理情報を生成して番組管理情報記憶手段に記憶させ、番組管理情報記憶手段に記憶されている番組管理情報を通信手段を介して送信するようにしたので、外部端末に最新の番組管理情報を送信することで、外部端末を使用するユーザに、適切な番組情報を提供することができるという効果がある。
【００４２】
この発明によれば、制御手段が、外部端末から予約要求を受けた際に番組管理情報記憶手段に記憶されている番組管理情報を通信手段を介して送信するようにしたので、外部端末に最新の番組管理情報を送信することで、外部端末を使用するユーザに、適切な番組情報を提供することができるという効果がある。
【００４３】
この発明によれば、通信手段が受信した予約管理情報を記憶させる予約管理情報記憶手段を備え、制御手段が当該予約管理情報記憶手段に記憶された内容に基づいて予約番組の受信制御を行うようにしたので、デジタル放送受信機は、外部端末において予約された番組の受信制御を容易に行えるという効果がある。
【００４４】
この発明によれば、制御手段が予約管理情報記憶手段に記憶された予約管理情報の記憶状態及び予約管理情報に基づく受信制御の処理状況を示す予約状態情報を生成し、通信手段を介して外部端末へ送信するようにしたので、外部端末を使用するユーザが番組予約の設定状態及び処理状況を確認することができるという効果がある。
【００４５】
この発明によれば、デジタル放送受信機から番組管理情報を受信する通信手段と、番組管理情報に基づいて電子番組表を生成する制御手段と、電子番組表を表示する表示手段と、電子番組表の中からユーザに予約番組を選択させる操作手段とを備え、制御手段が操作手段によって選択された予約番組に基づいて予約管理情報を生成し、通信手段が予約管理情報をデジタル放送受信機へ送信するようにしたので、適切な電子番組表をユーザに閲覧させることができ、また、ユーザが閲覧している電子番組表の中から所望の番組選択を行うことから予約操作が容易になり、速やかに操作できるという効果がある。
【００４６】
この発明によれば、制御手段が所定のデジタル放送受信機に対応する遠隔制御プログラムに従って制御動作を行うようにしたので、他のデジタル放送受信機の外部端末によって行われた番組予約が誤って設定されることを防ぎ、確実に遠隔制御ができるという効果がある。
【００４７】
この発明に係る遠隔制御方法は、デジタル放送受信機において、受信したトランスポートストリームパケットから番組情報テーブルを分離する過程と、番組情報テーブルを用いて番組管理情報を生成する過程と、外部端末へ番組管理情報を送信する過程とを備え、外部端末において、デジタル放送受信機から番組管理情報を受信して電子番組表を生成する過程と、電子番組表を表示してユーザに閲覧させ、電子番組表の中から選択された予約番組を抽出する過程と、予約番組に基づいて予約管理情報を生成し、デジタル放送受信機へ送信する過程とを備え、デジタル放送受信機において、外部端末から予約管理情報を受信する過程と、予約管理情報に基づいて予約された番組を受信する過程とを備えたので、ユーザが電子番組表を閲覧しながら視聴または録画を希望する番組の選択を行うことができるようになり、遠隔制御によるデジタル放送受信機の予約操作が容易になるという効果がある。
【図面の簡単な説明】
【図１】  この発明の実施の形態１によるデジタル放送受信機の構成を示すブロック図である。
【図２】  実施の形態１によるデジタル放送受信機を遠隔制御する外部端末の概略構成を示す説明図である。
【図３】  実施の形態１による遠隔制御方法を示すフローチャートである。
【図４】  実施の形態１による遠隔制御方法を示すフローチャートである。
【図５】  従来のデジタル放送受信機の構成を示すブロック図である。
【符号の説明】
１  チューナユニット、２  パケット分離器、３  ＭＰＥＧＡＶデコーダ、４ＮＴＳＣエンコーダ、５  表示装置、６  音声ＤＡＣ、７  スピーカ、８  ＵＡＲＴ、９  モデム（通信手段）、１０  ＣＰＵ（制御手段）、１１  電源管理回路、１２  番組管理情報メモリ（番組管理情報記憶手段）、１３  予約管理情報メモリ（予約管理情報記憶手段）、１４  外部端末、１５  メインボード、１６  番組情報テーブル、１７  メインボード制御信号、１８  電源電力、１９  電源管理回路制御信号、２０  液晶表示器（表示手段）、２１  チャンネル表示エリア、２２  番組情報表示エリア、２３  表示欄、２４  フォーカス移動ボタン（操作手段）、２５  番組選択決定ボタン（操作手段）、ＮＴ  通信回線。
【図１】
0003902045.tif 000002
【図２】
0003902045.tif 000003
【図３】
0003902045.tif 000004
【図４】
0003902045.tif 000005
【図５】
0003902045.tif 000006